(57)【特許請求の範囲】
【請求項１】
専用のアプリで都度選択された動作設定に合わせて図形パターンを表示させることができる液晶画面を備えたスマートフォンと、光センサーでスマートフォンの画面に表示された図形パターンを読み取り、そのパターンに合わせて皮膚に通電させるための電流を出力することができる微弱電流通電部品とで構成される美容装置であって、電流の波形や強弱、出力時間を設定するタイマーなどの動作制御をスマートフォンが行い、美容に適した微弱電流を出力し通電させる機能は専用の微弱電流通電部品が担い、スマートフォンと微弱電流通電部品との通信を、スマートフォンの画面に表示される図形パターンを微弱電流通電部品の光センサーが受け取ることによって行うことを特徴とする美容装置。
【請求項２】
スマートフォンの代わりに、専用のアプリで都度選択された動作設定に合わせて図形パターンを表示することができる液晶画面を備えたタブレット端末を使用する、請求項１に記載の美容装置
【請求項３】
スマートフォンの代わりに、専用のアプリで都度選択された動作設定に合わせて図形パターンを表示することができる液晶画面を備えたオーディオ再生端末を使用する、請求項１に記載の美容装置。
【請求項４】
スマートフォンの代わりに、専用のアプリで都度選択された動作設定に合わせて図形パターンを表示することができる液晶画面を備えた小型ゲーム端末を使用する、請求項１に記載の美容装置。
【請求項５】
スマートフォンの代わりに、専用のアプリで都度選択された動作設定に合わせて図形パターンを表示することができる液晶画面を備えた腕時計型端末を使用する、請求項１に記載の美容装置。
【発明の詳細な説明】
【技術分野】
【０００１】
本発明は、美容および肌の健康を目的として微弱電流を皮膚に通電させる美容装置において、微弱電流を発生させて皮膚に通電させる微弱電流通電部品をスマートフォンに接続し、スマートフォンにインストールすることができる専用アプリを使って、前記微弱電流通電部品をスマートフォンで制御することができる美容装置に関するものである。
【背景技術】
【０００２】
マイクロカレントとも呼ばれる微弱電流を皮膚に通電させることで、美容および肌の健康に効果的な技術は長く存在するが、その技術を提供する装置はいずれもその機能に特化した専用装置で、それらは高額である。あるいは、一般消費者は購入することができず、エステティックサロンでのみそれらの美容装置を使った施術を受けることができる。
スマートフォンの普及率は年々伸びており、多くの消費者がスマートフォンを利用している。それらのスマートフォン利用者は、スマートフォン用に開発されたアプリをインストールすることにより、電話以外の多様な機能をスマートフォンで実現することができ、それがスマートフォンの本質的な価値となっている。
このように、多くの利用者が存在するスマートフォンに前記微弱電流通電部品を接続し、スマートフォンのアプリを使用して前記微弱電流通電部品を制御することにより、金銭面と取扱面の両方において、これまでよりも手軽に美容装置を利用できるようになる。
スマートフォンに電極（リード線を介した電極）を接続して美容効果を得る先行技術は存在するが、その技術は、オーディオファイルを再生させることにより、スマートフォンのイヤフォン端子を介して出力される電流を電源としている。しかしながら、美容と肌の健康のために皮膚に通電するには、その目的に特化した特性を持つパルス波形の交流電流が必要で、オーディオファイルを再生することによって得られる電流では充分な効果は得られない。
それに対して本発明は、独自の電源を有して美容と肌の健康に適切な微弱電流を出力して通電させることができる微弱電流通電部品をスマートフォンに取り付け、出力する電圧の強弱や電流の波形や出力時間タイマーをスマートフォン側で制御するものである。
その制御方法は、スマートフォンの画面の一部に特定の図形パターンを表示させ、それをスマートフォンの画面に接触させて取り付けた微弱電流通電部品の光センサーによって感知し、前記図形パターンに合わせて異なった電圧、電流パルス波形、タイマー設定で出力を行うものである。
【０００３】
【特許文献１】特許５３６７８００
【特許文献２】特開２０１２−１１５６４６
【特許文献３】特開２０１２−１７６５５６
【発明の概要】
【発明が解決しようとする課題】
【０００４】
解決しようとする課題は大きくふたつ存在する。ひとつは、既存の専用美容装置は高価であること。もうひとつは、スマートフォンと組み合わせた既存の美容装置は、価格こそ低減されているが、スマートフォン側の機能に依存し過ぎ、かつ簡易性を求めるあまり効果が期待できないことである。
【課題を解決するための手段】
【０００５】
スマートフォンと微弱電流通電部品の機能分担およびふたつの異なった機器間の通信方法が本発明の根幹である。スマートフォン側で、制御が複雑となる電圧の強弱、電流パルスのパターン、施術時間のタイマーを設定し、それをスマートフォンの画面に明暗で表現される図形パターンとして表示させ、その図形パターンを、微弱電流通電部品に取り付けられた光センサーを使って受け取り、受け取った図形パターンの信号に合わせた電圧の強弱、電流パルスのパターン、施術時間のタイマー設定で微弱電流通電部品が微弱電流を出力する。その微弱電流を、微弱電流通電部品に取り付けられた電極を通して皮膚に通電させる。
【発明の効果】
【０００６】
微弱電流を皮膚に通電させる美容装置の多くはエステサロン向けの業務用で、一般消費者向けのものは非常に少なく、わずかに存在するものはどれも大変高価である。そのような市場の中で、本発明の美容装置は、スマートフォンを美容装置の一部として使うことにより、美容装置全体の価格を低減させることが可能で、一般消費者がより購入しやすくなる。
?ただしここで重要なのは、スマートフォンを美容装置の一部として使うことにより起こり得る効果の低減／喪失を避けることである。価格的な優位性を求めるあまり、スマートフォンの機能に依存しすぎると、本来美容装置が備えているべき機能が失われる場合がある。例えば、皮膚に通電させる電流の出力までスマートフォンに依存するような先行技術が存在するが、その方法では美容装置としての理想的な電流を得ることは難しい。しかし本発明は、電圧の強弱や電流パルスのパターンや施術時間のタイマーなどの設定／制御という、スマートフォンが得意とする機能のみをスマートフォンに依存し、実際のパルス電流出力のような美容装置としての特殊機能は微弱電流通電部品に持たせることにより、美容装置として必要な機能を失わず、美容装置一式としての価格低減を実現できる。
【図面の簡単な説明】
【０００７】
【図１】本発明の部品構成図である。
【図２】スマートフォンの設定画面を表した図である。
【図３】微弱電流通電部品を表した図である。
【図４】本発明のふたつの部品、スマートフォンと微弱電流通電部品を組み合わせた図である。
【発明を実施するための形態】
【０００８】
スマートフォン（１）と微弱電流通電部品（２）を組み合わせて美容装置として利用する。スマートフォン（１）に専用アプリをインストールし、そのアプリを起動させて図２の画面でタイマー（４）、電圧の強弱（５）、電流のパルス波形（６）を設定し、設定ボタン（７）で設定を確定する。設定された内容は、スマートフォンの図形パターン部分（３）で表示され、それを微弱電流通電部品（２）の光センサー（８）で受信して、微弱電流通電部品（２）に内蔵した電源から皮膚通電電極（９）を通して電流を出力させる。
【実施例】
【０００９】
スマートフォン：ユーザーが端末購入後に任意のアプリをインストールすることができ、液晶画面を備えた端末を制御装置として利用する。
微弱電流通電部品：皮膚に通電する電流を出力するための独自の電源を備え、その電流を皮膚に通電するためのふたつの電極を有し、スマートフォンの液晶画面に表示される図形パターンを読み取ることができる光センサーを備え、スマートフォンに取り付けて使用する。
アプリ：スマートフォンにインストールし、微弱電流通電部品が出力する電圧の強弱、電流の波形、電流の出力時間などを設定し、その設定を微弱電流通電部品に組み込まれた光センサーが読み取れるように、スマートフォンの液晶画面に明暗の単純な図形パターンで表示させる。
前記アプリをインストールしたスマートフォンに前記微弱電流通電部品を取り付け、前記アプリを起動して通電の設定を行い、前記アプリ内の開始ボタンをタップすることによって通電が開始する。
通電が開始したら、利用者はスマートフォンを把持して微弱電流通電部品の電極を皮膚に接触させ通電させる。通電中は、スマートフォンの画面に残りの施術時間がタイマーによって表示される。
【産業上の利用可能性】
【００１０】
美容装置として充分な効果を得られる機能を持ちながら、同等の専用装置よりも低価格での販売が可能となる。
【符号の説明】
【００１１】
１  スマートフォン
２  微弱電流通電部品
３  図形パターン
４  タイマー
５  電圧
６  電流パルスパターン
７  設定ボタン
８  図形パターン受信用の光センサー
９  皮膚通電用電極
【要約】
【課題】スマートフォンなどの多機能端末に専用アプリをインストールして美容装置として使用する場合、スマートフォンのイヤフォン端子やドック端子から得られる電流は肌に通電させ美容効果を求めるための電流として理想的ではないので、美容効果を得るために最適化された電流を出力できるようにする。
【解決手段】美容装置として理想的な電流を出力するには、専用の電源を備え専用の回路を介して電流を出力する装置が必要である。そこで、従来のように電流の出力までスマートフォンに依存するのではなく、スマートフォンは電圧や電流パルスパターンやタイマー設定などの制御系のみ担当し、通電のために出力する電流の電源をスマートフォンに合体できる部品が担うことで、制御部分と通電部分がそれぞれもっとも理想的な機能を発揮し、かつコストを抑えることを可能にする。
【選択図】図１【図１】
0005789891.tif 000002
【図２】
0005789891.tif 000003
【図３】
0005789891.tif 000004
【図４】
0005789891.tif 000005